(57)【特許請求の範囲】
【請求項１】
洗浄室に収容された被洗浄物を洗浄する洗浄機であって、
前記洗浄室内の水蒸気を排気する排気部と、
前記排気部から排出される前記水蒸気を凝縮させる凝縮部を有する熱交換器と、
前記凝縮部による前記水蒸気の凝縮によって発生した前記熱交換器内の水を加熱する加熱部と、
前記被洗浄物の濯ぎに用いられる濯ぎ水を貯留する給水貯留部と、
前記給水貯留部に供給される給水を流通する供給部と、を備え、
前記凝縮部は、前記供給部の一部である、洗浄機。
【請求項２】
前記加熱部の作動を制御する制御部を備え、
前記制御部は、前記洗浄室内の前記水蒸気を排気する工程が終了した場合に、前記加熱部を作動させる、請求項１に記載の洗浄機。
【請求項３】
前記加熱部は、前記熱交換器の下部に配置されている、請求項１又は２に記載の洗浄機。
【請求項４】
前記加熱部は、前記熱交換器内に位置する前記供給部に設けられている、請求項１又は２に記載の洗浄機。
【請求項５】
前記熱交換器から排出される前記水蒸気の包含量が減少した空気を前記洗浄室内に排出する排出部を備える、請求項１〜４のいずれか一項に記載の洗浄機。
【請求項６】
前記排気部には、前記洗浄室から前記水蒸気を排気する排気ファンが設けられている、請求項１〜５のいずれか一項に記載の洗浄機。
【発明の詳細な説明】
【技術分野】
【０００１】
本発明は、食器等の被洗浄物を洗浄する洗浄機に関する。
【背景技術】
【０００２】
本体部の洗浄室に収容した食器等の被洗浄物を洗浄する洗浄機が知られている。このような洗浄機では、被洗浄物の洗浄時及び被洗浄物の濯ぎ時に水蒸気が発生する。特許文献１に開示されている洗浄機は、洗浄室内で発生した水蒸気を吸引する吸引手段と、吸引された水蒸気を除湿冷却する熱交換器と、を備えている。
【先行技術文献】
【特許文献】
【０００３】
【特許文献１】特開平１−２２７７３２号公報
【発明の概要】
【発明が解決しようとする課題】
【０００４】
上記熱交換器内では、水蒸気が凝縮されることによって、結露が発生する。結露により生じた水は、洗浄室に戻されている。しかしながら、熱交換器内の水を完全に排出することは困難であり、熱交換器内に水が残留する場合がある。熱交換器内に残留した水は、カビや細菌を繁殖させる原因となり、衛生面を低下させるといった問題がある。
【０００５】
そこで、本発明の目的は、衛生面に優れた洗浄機を提供することにある。
【課題を解決するための手段】
【０００６】
本発明の洗浄機は、洗浄室に収容された被洗浄物を洗浄する洗浄機であって、洗浄室内の水蒸気を排気する排気部と、排気部から排出される水蒸気を凝縮させる凝縮部を有する熱交換器と、熱交換器内を加熱する加熱部と、を備える。
【０００７】
この構成の洗浄機は、熱交換器内を加熱する加熱部を備えているため、凝縮部による水蒸気の凝縮で発生した水を加熱して乾燥させることができる。これにより、洗浄機では、熱交換器内においてカビや細菌が繁殖することを抑制できる。その結果、衛生面に優れたものとすることができる。
【０００８】
本発明の洗浄機では、加熱部の作動を制御する制御部を備え、制御部は、洗浄室内の水蒸気を排気する工程が終了した場合に、加熱部を作動させてもよい。
【０００９】
このような構成の洗浄機では、凝縮部による水蒸気の凝縮が行われた後に熱交換器内が加熱されるため、水蒸気の凝縮により生じた水を効果的に乾燥させることができる。したがって、洗浄機では、熱交換器内においてカビや細菌が繁殖することをより効果的に抑制できる。
【００１０】
本発明の洗浄機では、被洗浄物の濯ぎに用いられる濯ぎ水を貯留する給水貯留部と、給水貯留部に供給される給水を流通する供給部と、を備え、凝縮部は、供給部の一部であってもよい。
【００１１】
このような構成の洗浄機では、熱交換器において、水蒸気と供給部を流通する給水との間で熱交換が行われるため、水蒸気を凝縮させることができる。また、熱交換器において供給部内を通る給水と水蒸気との間で熱交換を行うことにより、供給部を通る水は、流入時よりも温度が高くなった状態で流出される。給水貯留部では、給水が加熱される。そのため、給水貯留部に供給される給水の温度を予め高くすることにより、給水貯留部における加熱効率を高めることができる。
【００１２】
本発明の洗浄機では、加熱部は、熱交換器の下部に配置されていてもよい。
【００１３】
このような構成の洗浄機では、熱交換器内において熱が効果的に行き渡るため、熱交換器内の水を効果的に乾燥させることができる。
【００１４】
本発明の洗浄機では、加熱部は、熱交換器内に位置する供給部に設けられていてもよい。
【００１５】
このような構成の洗浄機では、供給部の外面に発生した結露による水を効果的に乾燥させることができる。また、供給部を流通する給水の温度を効果的に高めることができる。
【００１６】
本発明の洗浄機は、熱交換器から排出される水蒸気の包含量が減少した空気を洗浄室内に排出する排出部を備えていてもよい。
【００１７】
このような構成の洗浄機では、水蒸気の包含量が減少した空気が洗浄室内に排出されるため、洗浄室及び食器を当該空気によって乾燥させることができる。そのため、洗浄室内においてカビや細菌が繁殖することを抑制できる。
【００１８】
本発明の洗浄機では、排気部には、洗浄室から水蒸気を排気する排気ファンが設けられていてもよい。
【００１９】
このような構成の洗浄機では、洗浄室から水蒸気をより確実に排出することができる。
【発明の効果】
【００２０】
本発明によれば、衛生面に優れた洗浄機を提供できる。
【図面の簡単な説明】
【００２１】
【図１】一実施形態に係る食器洗浄機の斜視図である。
【図２】図１の食器洗浄機の概略構成を示す図である。
【図３】図１の熱交換器を示した斜視図である。
【図４】図１の熱交換器を示した斜視図である。
【図５】第２排気管の構成を示す斜視図である。
【発明を実施するための形態】
【００２２】
以下、図面を参照して一実施形態に係る食器洗浄機（洗浄機）について説明する。図面の説明において、同一要素には同一符号を付し、重複する説明を省略する。図面の寸法比率は、必ずしも一致していない。なお、説明の便宜のため、図１において、前後方向、左右方向、及び上下方向をそれぞれ設定した。
【００２３】
図１に示されるように、一実施形態に係る食器洗浄機１は、洗浄室２Ａの前面にドア４が設けられたアンダーカウンタ式の洗浄機である。図１及び図２に示されるように、食器洗浄機１は、本体部２と、上側洗浄ノズル５と、上側濯ぎノズル６と、下側洗浄ノズル７と、下側濯ぎノズル８と、排気部６１と、洗浄タンク９と、貯湯タンク（給水貯留部）１８と、洗剤供給ポンプ３２と、リンス剤供給ポンプ３７と、熱交換器８０と、ヒータ（加熱部）９０と、を備えている。
【００２４】
本体部２は、ステンレス製のパネルにより形成されている。本体部２は、食器（被洗浄物）Ｄをセットしたラックを出し入れする開口部が前方に向かって開口している洗浄室２Ａと、排水ポンプ５２、貯湯タンク１８、マイクロコンピュータ（以下「マイコン」という）（制御部）５５等が設けられている機械室２Ｂと、に区画されている。本体部２の底面の四隅には、脚部３が取り付けられている。
【００２５】
本体部２には、洗浄室２Ａ内に食器Ｄを出し入れするためのドア４が取り付けられている。洗浄室２Ａ内には、ラックレール２Ｃが設けられ、このラックレール２Ｃ上に、食器Ｄが並べられた食器ラック（図示せず）が載置される。本体部２の前面におけるドア４の上部には、ユーザが運転モード及び各種設定を入力するための操作パネル２Ｄが設けられている。
【００２６】
上側洗浄ノズル５及び上側濯ぎノズル６は、洗浄室２Ａの上部に設けられている。上側洗浄ノズル５は、放射状に延びる３本のアームを含んでおり回転自在に配置されている。上側濯ぎノズル６は、２本のアームを含んでおり回転自在に配置されている。下側洗浄ノズル７及び下側濯ぎノズル８は、洗浄室２Ａの下部に設けられている。下側洗浄ノズル７は、放射状に延びる３本のアームを含んでおり回転自在に配置されている。下側濯ぎノズル８は、２本のアームを含んでおり回転自在に配置されている。
【００２７】
食器ラックに並べられた食器Ｄには、洗浄工程において上側洗浄ノズル５及び下側洗浄ノズル７によって上下から洗浄水が噴射され、濯ぎ工程において上側濯ぎノズル６及び下側濯ぎノズル８によって上下から濯ぎ水が噴射される。
【００２８】
洗浄室２Ａには、排気部６１が接続されている。排気部６１は、例えば、洗浄室２Ａにおける側面上方に接続されている。洗浄室２Ａでは、後述する濯ぎ工程等において水蒸気（湯気を含む）が発生する。排気部６１には、当該水蒸気を含む空気（以後、単に「水蒸気」とも称す。）を排出する排気ファン６０が設けられている。排気ファン６０は、マイコン５５によって作動の制御がなされる。洗浄室２Ａ内の水蒸気は、排気ファン６０によって排気部６１を介して第１排気管６３内を押し上げられて、後述する熱交換器８０に送り出される。
【００２９】
洗浄タンク９は、洗浄室２Ａの下方に配置されており、洗浄水を貯留する。洗浄タンク９には、洗浄水の水位を検知するための水位検知スイッチ１０が設けられている。水位検知スイッチ１０は、洗浄タンク９内の水位が所定水位Ｈを超えている場合にＯＮとなり、所定水位Ｈ以下の場合にＯＦＦとなるスイッチである。
【００３０】
洗浄タンク９の側面には、洗浄水吸込管１３を介して洗浄ポンプ１４が接続されている。洗浄タンク９の洗浄水吸込管１３が取り付けられた部分には、ポンプフィルタ１２が設けられている。洗浄ポンプ１４の吐出口には洗浄水吐出管１５が接続されている。洗浄水吐出管１５は、第１洗浄水吐出管１６と第２洗浄水吐出管１７とに分岐している。第１洗浄水吐出管１６は、上側洗浄ノズル５に接続されている。第２洗浄水吐出管１７は、下側洗浄ノズル７に接続されている。
【００３１】
洗浄タンク９の底部９Ａには、排水吸込管９Ｂを介して排水管５０が接続されている。排水管５０には、洗浄タンク９から排水を排出する排水ポンプ５２が設けられている。排水ポンプ５２は、マイコン５５によって作動の制御がなされる。洗浄タンク９に貯留された水は、排水ポンプ５２によって排水管５０を介して外部に排出される。なお、排水管５０が排水吸込管９Ｂよりも下方に排水を排出する場合には、排水ポンプ５２が設けられていなくてもよい。
【００３２】
図１に示されるように、熱交換器８０は、洗浄室２Ａ上方の本体部２における上部に配置されている。図３に示されるように、熱交換器８０は、排気流路８３と、給水流路（凝縮部、供給部）８５と、排気流路８３及び給水流路８５を収容する筐体８１と、を有している。なお、図３では、説明の便宜のため、蓋部８１Ａ（図２参照）を外した状態を示している。熱交換器８０は、排気流路８３を流通する水蒸気と給水流路８５を流れる水との間で熱交換を行う装置である。
【００３３】
排気流路８３は、洗浄室２Ａから排気される水蒸気が流通する流路である。排気流路８３の一端８３Ｂは、第１排気管６３が接続されており、排気流路８３の他端８３Ｃは、第２排気管（排出部）６５が接続されている。また、排気流路８３には、給水流路８５における他端８５Ｂから給水流路の一端８５Ａに沿って、排気流路８３の一端８３Ｂから排気流路８３の他端８３Ｃまでの流路を形成する仕切板８３Ａが設けられている。すなわち、排気流路８３の一端８３Ｂから流入する水蒸気は、給水流路８５における他端８５Ｂから給水流路の一端８５Ａまでの管路に沿って、排気流路８３の他端８３Ｃまで流れる。排気流路８３を流れる水蒸気を含む空気は、その水蒸気の一部が結露して水となり、水蒸気の包含量が減少した空気となる。
【００３４】
第２排気管６５は、流路方向に直交する断面形状が円形状である管路部材であり、その中空部には、水蒸気の包含量が減少した空気が流通する。図５に示されるように、第２排気管６５は、その一部が洗浄室２Ａの内部に配置されている。具体的には、第２排気管６５は、例えば、洗浄室２Ａの上部に配置され、本体部２の左右方向に沿って延在している。洗浄室２Ａ内の第２排気管６５には、延在方向において所定の間隔をあけて孔（図示せず）が複数設けられている。孔は、第２排気管６５の下部に設けられている。これにより、第２排気管６５は、水蒸気の包含量が減少した空気を下方に向けて洗浄室２Ａ内に排出する。第２排気管６５から排出された水蒸気の包含量が減少した空気は、洗浄室２Ａ及び食器Ｄを乾燥させ得る。
【００３５】
給水流路８５は、流路方向に直交する断面形状が円形状である管路部材であり、その中空部には、貯湯タンク１８に供給する濯ぎ水が流通する。給水流路８５は、貯湯タンク１８に供給される水を流通する供給部の一部を構成している。給水流路８５は、排気流路８３を流通する水蒸気を凝縮させる凝縮部としての機能を有している。給水流路８５の例には、銅からなり耐腐食塗装がなれたフレキシブル管、ステンレス鋼からなるフレキシブル管、管の外周に設けられたフィンを有するフィンチューブ、及び管の外周にスパイラル状に巻き付けられたフィンを有するフィンチューブ等が含まれる。給水流路８５の一端８５Ａは、後述する給水管（供給部）２１Ｃが接続されており、給水流路８５の他端８５Ｂは、後述する給水管（供給部）２１Ｄが接続されている。
【００３６】
熱交換器８０の筐体８１の底部８１Ｂには、底部８１Ｂを厚み方向に貫通する穴８１Ｃが設けられている。穴８１Ｃは、底部８１Ｂの一隅部に形成されている。穴８１Ｃは、本体部２の洗浄室２Ａに連通している。具体的には、穴８１Ｃは、本体部２の上部において角部に設けられた排水部（図示せず）に連通している。熱交換器８０の底部８１Ｂは、穴８１Ｃが設けられている位置を最下位置として、図３において一点鎖線の矢印で示す方向に向かって下り勾配で傾斜している。これにより、熱交換器８０内の水は、穴８１Ｃに向かって流れ、穴８１Ｃ及び排水部を介して洗浄室２Ａ内に排出される。
【００３７】
図４に示されるように、熱交換器８０には、ヒータ９０が設けられている。図４では、説明の便宜のため、給水流路８５及び仕切板８３Ａを外した状態を示している。ヒータ９０は、熱交換器８０内を加熱する。ヒータ９０は、例えば、電熱線である。ヒータ９０は、電源９１に接続されている。ヒータ９０は、マイコン５５によって作動（電源９１からの電力の供給）が制御されている。ヒータ９０の温度は、熱交換器８０内の水を乾燥（蒸発）させ得る温度に設定されている。ヒータ９０は、熱交換器８０の底部８１Ｂに、例えば、蛇行して配設されている。ヒータ９０は、アルミシート９２により覆われている。アルミシート９２は、底部８１Ｂの略全面を覆っている。
【００３８】
図２に示されるように、貯湯タンク１８は、食器Ｄを濯ぐ水が貯留されるタンクである。貯湯タンク１８には、外部の給湯器（図示せず）から給水管２１Ａを介して水が供給される。給水管２１Ａには、ストレーナ１９が設けられている。給水管２１Ａにおけるストレーナ１９の下流側には、分岐部２１Ｂが設けられている。分岐部２１Ｂの一方は、ウォータバルブ２０Ａを介して貯湯タンク１８に接続されている。ウォータバルブ２０Ａは、マイコン５５によって制御されている。分岐部２１Ｂの他方は、給水管２１Ｃを介して前述した熱交換器８０における給水流路８５の一端８５Ａ（図３参照）に接続されている。給水管２１Ｃから流通する水は、熱交換器８０の給水流路８５を通過して、給水管２１Ｄを介して貯湯タンク１８に供給される。
【００３９】
貯湯タンク１８内には、食器Ｄを濯ぐ水を所定温度に維持するための濯ぎ水ヒータ２２と、この濯ぎ水の温度を検知するための水温センサ２３とが設置されている。貯湯タンク１８には、濯ぎ水吸込管２４を介して濯ぎポンプ２５が接続されている。この濯ぎポンプ２５の吐出口には濯ぎ水吐出管２６が接続されている。濯ぎ水吐出管２６は、第１濯ぎ水吐出管２７と第２濯ぎ水吐出管２８とに分岐している。第１濯ぎ水吐出管２７は、上側濯ぎノズル６に接続されている。第２濯ぎ水吐出管２８は、下側濯ぎノズル８に接続されている。
【００４０】
洗剤供給ポンプ３２は、食器洗浄機１の外側、すなわち、本体部２の外側に配置されている。洗剤供給ポンプ３２は、洗剤タンク３３内に貯留された洗剤を洗浄室２Ａに供給するためのベローズポンプである。洗剤供給ポンプ３２は、洗浄室２Ａの側壁に接続された洗剤吐出管３４と接続され、信号線によりマイコン５５に接続されている。洗剤供給ポンプ３２は、マイコン５５から出力される信号に応じて作動し、接続された洗剤吸込管３５から洗剤タンク３３内の洗剤を吸い込み、洗剤吐出管３４へ所定量の洗剤を吐出する。この洗剤は、洗剤吐出管３４の先端に設けられ、洗浄室２Ａと洗剤吐出管３４とを接続する洗剤吐出口３６から洗浄室２Ａ内に吐出される。洗浄室２Ａ内に吐出された洗剤は、洗浄室２Ａの下方の洗浄タンク９内に流れ込み洗浄水に混入される。
【００４１】
リンス剤供給ポンプ３７は、食器洗浄機１の外側、すなわち、本体部２の外側に配置されている。リンス剤供給ポンプ３７は、リンス剤タンク３８内に貯留されたリンス剤を濯ぎ水路に供給するためのものである。リンス剤供給ポンプ３７は、第１濯ぎ水吐出管２７と連通するリンス剤吐出管３９に接続され、信号線によりマイコン５５に接続されている。リンス剤供給ポンプ３７は、マイコン５５から出力される信号に応じて作動し、接続されたリンス剤吸込管４０からリンス剤タンク３８内の洗剤を吸い込み、リンス剤吐出管３９へリンス剤を吐出する。リンス剤は、リンス剤供給ポンプ３７によってリンス剤吐出管３９から濯ぎ水吐出管２６内の濯ぎ水路へ吐出され、濯ぎ水に混入される。
【００４２】
マイコン５５は、機械室２Ｂに配置されている。マイコン５５は、食器洗浄機１における動作全般を制御する。マイコン５５は、電装ボックス５５Ａに内蔵されている。マイコン５５は、集積回路に実装されたコンピュータシステムあるいはプロセッサである。マイコン５５は、食器洗浄機１における各種動作を制御する部分であり、ＣＰＵ（Central Processing Unit）、ＲＯＭ（Read OnlyMemory）、ＲＡＭ（Random Access Memory）等、相互に接続されている。
【００４３】
次に、上述した食器洗浄機１の動作について説明する。食器洗浄機１は、電源スイッチがＯＮされると、貯湯タンク１８内の水を濯ぎポンプ２５によって洗浄室２Ａへ噴射することにより、洗浄タンク９内へ水が供給される。これにより初期給湯が行われる。そして、初期給湯量に合った量の洗剤が洗浄タンク９内へ供給されて、洗浄タンク９内の洗浄水の洗剤濃度が所定濃度となる。
【００４４】
初期給湯後、ユーザが食器Ｄをラッキングしてドア４を閉めると、ドアスイッチ（図示せず）によってドア４が閉められたことが検知されると共に、運転開始信号がマイコン５５へ入力される。運転開始信号がマイコン５５へ入力されると、マイコン５５は、洗浄ポンプを作動させ、食器Ｄの洗浄（洗浄工程）を開始させる。食器Ｄの洗浄は、洗浄タンク９内の洗浄水を洗浄室２Ａ内の食器Ｄに向けて噴射することにより行われる。
【００４５】
洗浄ポンプ１４が始動することにより、洗浄タンク９内に貯留された洗浄水は、洗浄水吐出管１５等を介して上側及び下側洗浄ノズル５，７に圧送されて、上側及び下側洗浄ノズル５，７から洗浄室２Ａ内の食器Ｄに向けて噴射される。この洗浄室２Ａ内に噴射された洗浄水は、食器Ｄから洗い落とされた残菜等が図示しないフィルタによって取り除かれつつ洗浄タンク９内に回収される。さらに、ポンプフィルタ１２等を介して洗浄ポンプ１４によって洗浄タンク９内の水が取り込まれ、再び洗浄室２Ａ内に供給される。
【００４６】
洗浄工程が終了すると、マイコン５５は、排水ポンプ５２を作動させ、洗浄タンク９に貯留された洗浄水の排出（排水工程）を開始させる。本実施形態の食器洗浄機１では、洗浄ポンプ１４が作動することにより、後述する濯ぎ工程によって洗浄室２Ａに供給される濯ぎ水と同じ量の洗浄水が洗浄タンク９から排出される。
【００４７】
排水工程が終了すると、マイコン５５は、濯ぎポンプ２５を作動させ、食器Ｄの濯ぎ（濯ぎ工程）を開始させる。食器Ｄの濯ぎは、貯湯タンク１８内の濯ぎ水を洗浄室２Ａ内の食器Ｄに向けて噴射することにより行われる。
【００４８】
濯ぎポンプ２５を始動することにより、貯湯タンク１８内に貯留された濯ぎ水は、濯ぎ水吐出管２６などを介して上側及び下側濯ぎノズル６，８に圧送されて、各濯ぎノズル６，８から食器Ｄに向けて噴射される。食器Ｄに噴射された濯ぎ水は、図示しないフィルタを介して洗浄タンク９内に回収されて洗浄水と混ざり合い、次回の洗浄工程における洗浄水として使用される。
【００４９】
上側及び下側濯ぎノズル６，８から食器Ｄに濯ぎ水が噴射されると、洗浄室２Ａ内に水蒸気が発生する。本実施形態の食器洗浄機１では、濯ぎ工程が開始されると排気ファン６０が作動を開始し、洗浄室２Ａ内で発生した水蒸気が排気ファン６０によって排出される（排気工程）。なお、排気ファン６０の作動開始タイミングは、このタイミングに限定されず、上側及び下側洗浄ノズル５，７から水が噴射される洗浄工程から開始されてもよい。
【００５０】
排気ファン６０によって洗浄室２Ａから水蒸気が排出されると、水蒸気は、排気部６１を介して第１排気管６３内を押し上げられて、熱交換器８０に送り出される。水蒸気は、熱交換器８０の排気流路８３を流通する。水蒸気が流通する排気流路８３に、当該水蒸気と比較して冷たい水が給水流路８５を流れると、排気流路８３を流通する「水蒸気」と、給水流路８５を流通する「水」との間で熱交換が行われる。
【００５１】
これにより、給水流路８５の一端８５Ａから流入された水は、流入時よりも温度が高くなった状態で給水流路８５の他端８５Ｂから流出される。また、排気流路８３を流れる水蒸気を含む空気は、水蒸気の包含量が減少した空気となって第２排気管６５を介して洗浄室２Ａに排出される。洗浄室２Ａに排出された水蒸気の包含量が減少した空気は、当該空気に含まれる水蒸気及び洗浄室２Ａ内の水蒸気を含む空気と一緒に排気ファン６０によって洗浄室２Ａから排出され、洗浄室２Ａ及び熱交換器８０において循環する。
【００５２】
なお、給水流路８５の他端８５Ｂに接続される給水管２１Ｄ上には、ウォータバルブ２０Ｂが設けられているので、ウォータバルブ２０Ｂの開閉状態によっては給水流路８５に水が滞留している場合がある。この場合には、排気流路８３を流通する「水蒸気」と、給水流路８５に滞留している「水」との間で熱交換が行われる。
【００５３】
排気ファン６０の作動により洗浄室２Ａ内の水蒸気の回収が所定の時間行われると、排気ファン６０の作動が停止される。排気ファン６０の作動が停止されると、熱交換器８０の排気流路８３における水蒸気の流通が停止する。これにより、第２排気管６５から洗浄室２Ａ内への水蒸気の包含量が減少した空気の排出が停止される。このとき、洗浄室２Ａ内には、水蒸気（湯気）がほとんど存在していない。
【００５４】
排気ファン６０の作動が停止されると、ヒータ９０の作動が開始される。これにより、熱交換器８０の筐体８１内が加熱され、水蒸気の結露により生じた水が乾燥される。ヒータ９０の作動が開始されて所定の時間が経過すると、ヒータ９０の作動が停止される。
【００５５】
また、本実施形態の食器洗浄機１では、積算運転回数（本実施形態における運転回数とは、食器Ｄの洗浄工程及び濯ぎ工程を１サイクルとしたときのサイクルの回数をいう。）が規定回数に到達すると、洗浄タンク９に貯留された排水を全て排出する機能（全排水機能）を備えている。当該全排水機能は、運転が繰り返し行われることにより次第に汚れていく洗浄タンク９内の洗浄水を清浄な洗浄水に置き換えることを目的として搭載されている。
【００５６】
次に、上記実施形態の食器洗浄機１の作用効果について説明する。上記実施形態の食器洗浄機１では、熱交換器８０内を加熱するヒータ９０を備えているため、給水流路８５による水蒸気の凝縮で発生した水を加熱して乾燥させることができる。これにより、食器洗浄機１では、熱交換器８０内においてカビや細菌が繁殖することを抑制できる。その結果、衛生面に優れた食器洗浄機１とすることができる。
【００５７】
また、上記実施形態の食器洗浄機１は、ヒータ９０の作動を制御するマイコン５５を備え、マイコン５５は、洗浄室２Ａ内の水蒸気を排気する工程が終了した場合に、ヒータ９０を作動させる。これにより、水蒸気の凝縮が行われた後に熱交換器８０内が加熱されるため、水蒸気の凝縮により生じた水を効果的に乾燥させることができる。したがって、食器洗浄機１では、熱交換器８０内においてカビや細菌が繁殖することをより効果的に抑制できる。
【００５８】
また、上記実施形態に食器洗浄機１では、食器Ｄの濯ぎに用いられる濯ぎ水を貯留する貯湯タンク１８と、貯湯タンク１８に供給される水を流通する給水管２１Ｃ、給水管２１Ｄ及び給水流路８５と、を備えている。給水流路８５は、排気部６１から排出される水蒸気を凝縮させる凝縮部として機能する。このような構成の食器洗浄機１では、熱交換器８０において、水蒸気と給水流路８５を流通する給水との間で熱交換が行われるため、水蒸気を凝縮させることができる。また、熱交換器８０において給水流路８５内を通る給水と水蒸気との間で熱交換を行うことにより、給水流路８５を通る水は、流入時よりも温度が高くなった状態で流出される。貯湯タンク１８では、水が加熱される。そのため、貯湯タンク１８に供給される水の温度を予め高くすることにより、貯湯タンク１８における加熱効率を高めることができる。
【００５９】
また、上記実施形態の食器洗浄機１では、ヒータ９０は、熱交換器８０の下部に配置されている。このような構成の食器洗浄機１では、熱交換器８０内において熱が効果的に行き渡るため、熱交換器８０内の水を効果的に乾燥させることができる。
【００６０】
また、上記実施形態の食器洗浄機１では、ヒータ９０は、アルミシート９２により覆われている。これにより、ヒータ９０の熱をアルミシート９２により熱交換器８０内の全体に効果的に放散させることができる。したがって、熱交換器８０内の水を効果的に乾燥させることができる。
【００６１】
また、上記実施形態の食器洗浄機１では、第２排気管６５は、洗浄室２Ａ内に水蒸気の包含量が減少した空気を排出する。第２排気管６５から排出された水蒸気の包含量が減少した空気は、洗浄室２Ａ及び食器Ｄを乾燥させることができる。その結果、食器洗浄機１では、洗浄室２Ａ内にカビや細菌が繁殖することを抑制できる。
【００６２】
また、上記実施形態の食器洗浄機１では、熱交換器８０の筐体８１の底部８１Ｂに設けられた穴８１Ｃは、本体部２の上部において角部に設けられた排出部を介して、熱交換器８０内の水を洗浄室２Ａに排出する。このように、熱交換器８０内の水が本体部２の角部から洗浄室２Ａに排出されるため、食器Ｄに水が付着することを抑制できる。
【００６３】
以上、一実施形態について説明したが、本発明は、上記実施形態に限られるものではなく、発明の趣旨を逸脱しない範囲で種々の変形が可能である。
【００６４】
＜変形例１＞
上記実施形態の食器洗浄機１では、ヒータ９０が熱交換器８０の底部８１Ｂに配置される形態を一例に説明したが、本発明はこれに限定されない。例えば、加熱部は、給水流路８５に設けられていてもよい。具体的には、加熱部は、給水流路８５に巻き付けられていてもよい。この構成では、結露が生じる給水流路８５にヒータが巻き付けられているため、結露による水を効果的に乾燥させることができると共に、給水流路８５を流通する水の温度を高めることができる。
【００６５】
＜変形例２＞
上記実施形態の食器洗浄機１では、洗浄室２Ａ内の水蒸気を排気する工程が終了した場合に、ヒータ９０により熱交換器８０内を加熱させる形態を一例に説明したが、本発明はこれに限定されない。ヒータ９０の作動が開始及び停止されるタイミングは、任意に設定することが可能であり、所望するタイミングに適宜設定されればよい。例えば、ヒータ９０は、食器洗浄機の電源スイッチがＯＦＦとされてから一定時間作動されてもよいし、洗浄タンク９から洗浄水が全て排出されているときに作動されてもよい。また、ヒータ９０をＯＮ／ＯＦＦを作業者が操作できるスイッチが設けられていてもよい。
【００６６】
また、食器洗浄機１では、連続して洗浄（洗浄工程から排気工程（濯ぎ工程）まで）が行われる場合には、全ての洗浄が終了した後に、ヒータ９０の作動が開始されてもよい。この形態においては、マイコン５５は、排気工程の終了後に時間をカウントし、所定時間内に洗浄を開始させるスイッチがＯＮとされた場合には、連続して洗浄が行われると判断して、ヒータ９０を作動させない。一方、マイコン５５は、所定時間内に洗浄を開始させるスイッチがＯＮとされない場合には、ヒータ９０を作動させる。
【００６７】
＜変形例３＞
上記実施形態の食器洗浄機１では、加熱部として電熱線のヒータ９０を一例に説明したが、本発明はこれに限定されない。例えば、加熱部は、熱交換器８０内に乾燥した熱風を送風する装置等であってもよく、熱交換器８０内を加熱する（乾燥させる）ものであれば如何なる形態であってもよい。
【００６８】
＜変形例４＞
上記実施形態の食器洗浄機１では、第２排気管６５が水蒸気の包含量が減少した空気を下方に向けて洗浄室２Ａ内に排出する形態と一例に説明したが、本発明はこれに限定されない。例えば、第２排気管６５は、洗浄室２Ａの内面に水蒸気の包含量が減少した空気が吹き付けられるように、水蒸気の包含量が減少した空気を排出する形態であってもよい。この構成では、洗浄室２Ａを効果的に乾燥させることができる。また、第２排気管６５は、本体部において食器Ｄを出し入れする開口部の上方から水蒸気の包含量が減少した空気を排出する形態であってもよい。この構成では、開口部にエアカーテンを形成することができ、ドア４を開けたときに、水蒸気が開口部から放出することを抑制できる。また、第２排気管６５は、水蒸気の包含量が減少した空気を外部に排出してもよい。
【００６９】
＜変形例５＞
上記実施形態の食器洗浄機１では、排気部６１が洗浄室２Ａにおける側面上方に接続されている形態を一例に説明したが、本発明はこれに限定されない。例えば、排気部６１は、洗浄室２Ａにおける上面に接続されていてもよい。また、排気部６１が第１排気管６３に接続されており、第１排気管６３を介して熱交換器８０に水蒸気が送り出される形態を一例に説明したが、第１排気管６３は設けられていなくてもよい。この場合、排気部６１が熱交換器８０に直接接続されていてもよい。
【００７０】
＜変形例６＞
上記実施形態の食器洗浄機１では、貯湯タンク１８に供給される水を流通する給水管２１Ｃ、給水管２１Ｄ及び給水流路８５のうち、給水流路８５を熱交換器８０の凝縮部として用いる形態を一例に説明したが、本発明はこれに限定されない。例えば、凝縮部は、他の水が流通する流路であってもよいし、電気的に冷却される装置であってもよい。
【００７１】
＜変形例７＞
上記実施形態の食器洗浄機１では、排気部６１に排気ファン６０が設けられている形態を一例に説明したが、本発明はこれに限定されない。排気ファン６０は、第２排気管６５に設けられていてもよい。
【００７２】
＜その他の変形例＞
上記実施形態及び上記変形例では、管路部材の中を給水が流通し、その周りを水蒸気が流通する構成の熱交換器８０を例に挙げ説明したが、管路部材の中を水蒸気が流通し、その周りを給水が流通する構成の熱交換器であってもよい。
【００７３】
上記実施形態及び上記変形例では、洗浄室２Ａの前面にドア４が設けられたアンダーカウンタ式の食器洗浄機を例に挙げて説明したが、本願発明は、ドアが上下に開閉するタイプの食器洗浄機、又は、食器Ｄを収容するためのラックを搬送しながら洗浄を行うコンベアタイプの食器洗浄機に適用することも可能である。
【００７４】
上記実施形態及び上記変形例では、熱交換器８０が、本体部２の上方に配置されている例を挙げて説明したが、例えば、本体部２における機械室２Ｂに配置されてもよいし、食器洗浄機１の外側に配置されてもよい。また、貯湯タンク１８は、本体部２における機械室２Ｂに配置されている例を挙げて説明したが、本体部２の外部に配置されていてもよい。すなわち、外付け用の貯湯タンク１８が設けられる構成の食器洗浄機であってもよい。
【００７５】
上記実施形態及び上記変形例において熱交換器を備える場合には、外部の給湯器からの水を熱交換器８０を経由して貯湯タンク１８に供給する経路と、外部の給湯器からの水を直接貯湯タンク１８に供給する経路とが形成されている構成を例に挙げて説明したが、熱交換器８０を経由して貯湯タンク１８に供給する経路のみが形成される構成としてもよい。
【００７６】
上記実施形態では洗浄室２Ａから水蒸気を排出する手段として排気ファン６０を例に挙げたが、洗浄室２Ａから排気部６１に水蒸気を送り出せる手段であれば、これに限定されない。
【００７７】
本発明は、発明の趣旨を逸脱しない範囲で、上記実施形態、上記変形例及びその他の変形例として記載の内容を適宜組み合わせてもよい。
【符号の説明】
【００７８】
１…食器洗浄機、２Ａ…洗浄室、１８…貯湯タンク（給水貯留部）、２１Ｃ，２１Ｄ…給水管（供給部）、６０…排気ファン、６１…排気部、６５…第２排気管（排出部）、８０…熱交換器、８５…給水流路（凝縮部、供給部）、９０…ヒータ（加熱部）。
【図１】
0006667211.tif 000002
【図２】
0006667211.tif 000003
【図３】
0006667211.tif 000004
【図４】
0006667211.tif 000005
【図５】
0006667211.tif 000006